(57)【要約】【課題】  かさばるひな人形一式の保管場所の確保が不要になり、ひな人形一式の保管と飾りつけが、室内で可能になり、ひな祭り時以外も室内装飾用として使用することが出来る、伸長式段飾りひな壇  兼  階段型ひな人形収納箱  兼  飾り台を提供する。【解決手段】  ひな人形一式の収納箱を階段型にして、一般の室内用飾り台を兼ね、段飾りひな壇として使用するときは、階段型収納部（１）から支柱部（２）を切り離して、伸長板（４）でそれぞれの段を連結して、コンパクトな階段型収納箱を、段飾りひな壇として伸長できるようにしたことを特徴とする。【選択図】  図４
2005349149.tif 000002
【特許請求の範囲】
【請求項１】
ひな人形とひな具一式と伸長板（４）と補強棒（５）と毛氈等が、収納可能な、階段型収納部（１）と、階段状の支柱部（２）が取り外し可能な状態で、階段部（３）を正面にして隣り合わせに密着接合し、あたかも１台の階段型収納箱に見えるように仕上げて、この階段型収納箱が一般装飾用の飾り台を兼ね、段飾りひな壇として使用するときは、階段部（３）を正面にして、階段型収納部（１）と階段状の支柱部（２）を、横方向に平行に切り離して、それらを伸長板（４）で１段ずつ連結すると、階段部（３）の幅が伸長して、伸長式の段飾りひな壇となる、伸長式段飾りひな壇  兼階段型ひな人形収納箱  兼  飾り台。
【発明の詳細な説明】
【技術分野】
【０００１】  本発明は、ひな祭り時以外は階段型収納箱にひな人形一式を収納して、室内において保管し、階段型収納箱の階段上に、一般の装飾品を飾る。
ひな祭り時には、階段型収納箱に設置した階段状の支柱と、収納した伸長板とを使って、階段の幅を伸長して、段飾りひな壇としてひな人形一式を飾る、伸長式段飾りひな壇  兼  階段型ひな人形収納箱  兼  飾り台に関するものである。
【背景技術】
【０００２】  従来よりひな人形の飾りつけと保管は、別の場所というのが一般的であった。ひな祭り時には、室内に飾り付けの場所を確保して、ひな壇を組み立ててひな壇を設け、ひな飾りをした。ひな祭りの季節が終わると、ひな人形やひな具一式は仕切られた複数の大箱に収納してひな壇も分解して取りまとめ、別の特定の保管場所に収納した。【０００３】  ひな祭り時以外に、ひな壇を使用することはなかった。
【発明の開示】
【発明が解決しようとする課題】
【０００４】  ひな祭り時が短期間であるにも関わらず、ひな人形やひな具やひな壇の収納は大変かさばり、特定の保管場所を確保する必要があった。【０００５】  ひな祭り時に、ひな人形一式の飾り付けの作業も室内で広い場所を確保しなければならなかった。【０００６】  ひな人形やひな具一式の収納は、複数の大きな収納箱に仕切りをつけて収納するために、重くて小物類が混乱し、大変煩わしかった。【０００７】  ひな壇は、ひな祭り時のみの使用と限定されていた。【０００８】  毎年出し入れする為に、収納箱の傷みがはげしかった。【０００９】  本発明は、以上の問題を解決し、室内においてひな人形一式の収納と飾り付けを一体化して、１年を通じて使用可能にすることを目的とするものである。
【課題を解決するための手段】
【００１０】  本発明は、上記目的を達成するために、図１で示すとおり、ひな人形と、ひな具一式と、伸長板（４）と、補強棒（５）と、毛氈等が収納できる、複数の引き出しと、棚を設けた開き戸を有した、階段型収納部（１）と階段状の支柱部（２）を、取り外し可能な状態で、階段部（３）を正面にして隣り合わせに密着接合して、あたかも１台の階段型収納箱に見えるように仕上げる。階段部（３）は一般装飾品の飾り台を兼ねる。
ひな祭り時は、図４で示すように、階段部（３）を正面にして、階段型収納部（１）と階段状の支柱部（２）を横方向に平行に切り離して、階段部（３）と、支柱部（２）の階段状になった桟（８）を、伸長板（４）で１段ずつ連結すると、階段部（３）の幅が伸長して、伸長式の段飾りひな壇となる。
本発明は、以上の構成よりなる伸長式段飾りひな壇  兼  階段型ひな人形収納箱  兼  飾り台である。
【発明の効果】
【００１１】  本発明の効果として、かさばるひな人形一式の特別の保管場所を、確保する必要がなくなる。またひな人形一式を飾り付けの際も、ひな壇が簡便に組み立て可能になり、室内において飾り付けの場所の捻出に苦労することもなくなる。
収納方法も、引き出しや棚を利用するために、立体的且つ、コンパクトにまとめることが可能になる。更に、ひな人形やひな具の出し入れも容易になり、小物類が混乱することもなくなる。
また、ひな祭り時以外は、ひな壇をコンパクト化して、室内装飾用の飾り台として使用できて、１年を通じて多機能に有効利用できる。
【発明を実施するための最良の形態】
【００１２】  段飾りひな壇は、３段、５段、７段飾りひな壇等があるが、ここでは５段飾りひな壇の図を用いて、本発明の実施の形態を説明する。【００１３】  階段型収納箱の階段部（３）の幅を伸長して段飾りひな壇とするために、階段部（３）の段差や奥行きは、ひな人形、ひな具を飾るのにふさわしい寸法とする。階段部（３）の幅は、一般のたんすの奥行き位いが望ましい。【００１４】  階段型収納箱の階段部（３）を正面にして、一方の側面に複数の引き出しや開き戸を設けて、開き戸の中は複数の棚を取り付けて、ひな人形一式、ひな具、伸長板、補強棒、毛氈等を収納できる容積を有する、階段型収納部（１）とする。【００１５】  階段型収納箱のもう片方の側面に、階段状の支柱部（２）を設ける。階段状の支柱部（２）の仕様は、ひな壇として使用したときに、重量に耐えうる幅の、桟、または桟と平板、または厚みのある平板で仕上げる。階段状の支柱部（２）の段差と奥行きの寸法は、階段型収納部（１）の段差と奥行きの寸法と同じである。但し、階段型収納部（１）の底板（６）の厚み分だけ、支柱部（２）の最下段の段差を短くする。これを、階段型収納部（１）と取り外し可能な状態で、階段型収納部（１）の底板延長部分（７）に載せて密着接合したとき、階段型収納箱は、１台の階段型の箱体に見えるように仕上げる。【００１６】  階段型収納部（１）と支柱部（２）の接合方法で特徴的なところは、階段型収納部（１）の底板（６）を支柱部（２）の幅分だけ延長して、延長部分（７）の上に支柱部（２）を取り外し可能な状態で載せて接合する。
支柱部（２）の高さは、階段型収納部（１）の高さから底板（６）の厚み分を差し引いた寸法とする。そして、階段型収納部（１）の側面から支柱部（２）を切り離して、それらを伸長板（４）で１段ずつ連結伸長したとき、階段部（３）と伸長板（４）はフラットな状態になるように、伸長板（４）の厚みを決定する。【００１７】  段飾りひな壇とするとき、階段型収納部（１）と支柱部（２）が安定するために補強棒（５）を複数使用するが、階段型収納部（１）と支柱部（２）が傾ぐのを防ぐために、図２に示すように複数の補強棒（５）のうち２本は、階段型収納部（１）の底板と、支柱部（２）の下部に、床面に対して平行に、くの字に渡して、かすがいとして安定を図る。【００１８】    使用材料は、木製の家具調を基本に考えているが、必ずしもこれにこだわらない。例えば、木粉とプラスチックの混練りの成型品や、厚紙、段ボール、プラスチック（ポリプロピレンやＡＢＳ樹脂、生分解性樹脂製品等の成型品）でも良い。補強棒は、上記の材料の他に、金属製も用いて、それらのいずれかの組み合わせの材料を使用する。
【実施例１】
【００１９】  本発明をひな祭り時以外に使用するときは、階段型収納部（１）と階段状の支柱部（２）を接合し、１台の階段型の飾り台として、引き出しを正面にして、室内装飾用の飾り台として使用する。このとき階段型収納部（１）には不使用のひな人形一式、伸長板（４）、補強棒（５）、毛氈等を収納する。
【実施例２】
【００２０】  本発明をひな祭り時に使用するときは、階段部（３）を正面に向けて、階段型収納部（１）から支柱部（２）を横方向に平行に切り離し、伸長板（４）の短手を階段型収納部（１）の階段部（３）と１段ずつ突合せに接合し、落下防止の留め具で留める。場合によっては、伸長板受け具（９）を階段部（３）に設けて、伸長板（４）を受けるようにする。そして、伸長板（４）のもう一方の短手を支柱部（２）の階段状になった桟（８）の上に、床面に平行にそれぞれ１段ずつ載せて、伸長板（４）が落下しないように留具で留める。さらに、伸長板（４）で連結した階段型収納部（１）と支柱部（２）が安定するために、複数の補強棒（５）で、要所要所を連結補強する。
以上のように、段飾りひな壇を組み立て、伸長した階段部（３）に、毛氈等を敷いて、階段型収納部（１）からひな人形一式を取り出して、それらを飾る。
【図面の簡単な説明】
【００２１】
【図１】本発明の実施例１の斜視図
【図２】本発明の補強棒をくの字に２本取り付けた平面図
【図３】本発明の支柱部を切り離して補強棒を取り付けた斜視図
【図４】本発明の実施例２の伸長板を取り付けて段飾りひな壇とした斜視図
【符号の説明】
【００２２】１  階段型収納部
２  支柱部
３  階段部
４  伸長板
５  補強棒
６  底板
７  底板延長部分
８  階段状になった桟
９  伸長板受け具
【図１】
2005349149.tif 000003
【図２】
2005349149.tif 000004
【図３】
2005349149.tif 000005
【図４】
2005349149.tif 000006